(57)【要約】【課題】防水効果を確保できるとともに取り付けが容易であることを目的とする。【解決手段】コンデンサボックス２００のカバー２２０のモータ１２０に向う内側壁２１１には第１配線孔２２２が設けられ、コンデンサボックス２００の台座２１０のモータ１２０に向う内側壁２２１には第２配線孔２１２が設けられ、第１配線孔２２２上方のカバー２２０の頂面は、モータ１２０方向へ遮水板２２３を延設し、第１配線孔２２２と第２配線孔２１２はずらして設置され、第２配線孔２１２と第１配線孔２２２との間に、モータリード線を低く押える圧線リブ２１３を設け、圧線リブ２１３の最下端面の高さは第２配線孔２１２より低いことにある。【選択図】図２Ａ
2014181895.tif 000002
【特許請求の範囲】
【請求項１】
換気扇本体と、頂面上に設置されたモータおよびコンデンサボックスとを含み、前記モータには、モータリード線を延出させるための出線孔が設けられる換気扇であって、
前記コンデンサボックスは台座とカバーとからなり、前記コンデンサボックスの前記カバーの前記モータに向う内側壁には、前記モータリード線を貫通させるための第１配線孔が設けられ、前記コンデンサボックスの前記台座の前記モータに向う内側壁には、前記モータリード線を貫通させるための第２配線孔が設けられ、前記第１配線孔の上方の前記カバーの頂面は、前記モータ方向へ遮水板を延設し、前記第１配線孔と前記第２配線孔はずらして設置され、前記第２配線孔と前記第１配線孔との間に、前記モータリード線を低く押える圧線リブを設け、前記圧線リブの最下端面の高さは第２配線孔より低いことを特徴とする換気扇。
【請求項２】
前記遮水板は、前記モータの前記出線孔を上方から遮蔽するように延設されることを特徴とする請求項１に記載の換気扇。
【請求項３】
前記第２配線孔と前記第１配線孔との間に、前記モータリード線を低く押える圧線リブが設けられ、前記圧線リブは前記第２配線孔を囲んで設置され、前記圧線リブと前記台座との間には、前記モータリード線を貫通させる孔以外の部分に、前記圧線リブと前記台座とを接続する防水底板が設置されることを特徴とする請求項１または２に記載の換気扇。
【請求項４】
前記コンデンサボックスの前記カバーの前記モータから離れた側の外側壁には、電源線を貫通させる第３配線孔が設けられ、前記コンデンサボックスの前記台座の台座内側壁と台座外側壁とを接続する接続壁には、前記電源線を貫通させる第４配線孔が設けられ、前記第４配線孔の位置が前記第３配線孔より高く、前記電源線は前記第３配線孔を貫通した後、曲がって前記第４配線孔に入り、前記コンデンサボックス内の配線端子に接続することを特徴とする請求項１に記載の換気扇。
【請求項５】
前記コンデンサボックスの前記カバーの頂面内側には、前記第４配線孔に対応した位置に、前記カバーに一体成形した圧線部が設けられ、前記圧線部には弧形の圧線溝が設けられることを特徴とする請求項４に記載の換気扇。
【請求項６】
前記コンデンサボックス内には、アースに接続されるアース接続部が設けられ、前記台座の外側壁には、前記アース接続部近傍の部分に切り欠き部が設けられることを特徴とする請求項１に記載の換気扇。
【請求項７】
前記カバーの上面は前記第１配線孔から前記第２配線孔の下方へ傾斜することを特徴とする請求項１に記載の換気扇。
【発明の詳細な説明】
【技術分野】
【０００１】
本発明は換気扇に関し、特に換気扇のコンデンサボックスの防水構造に関する。
【背景技術】
【０００２】
図１Ａは公知の換気扇の模式図である。図１Ｂは公知の換気扇の防水蓋の内部模式図である。図１Ａ、図１Ｂに示すように、換気扇１は、換気扇枠組み２と、枠組み２の頂面６上に設置されたモータ３およびコンデンサボックス４とを含み、コンデンサボックス４の外部には、コンデンサボックス４およびその周囲を覆う防水蓋５がさらに設けられる。
【発明の概要】
【発明が解決しようとする課題】
【０００３】
上記従来技術の換気扇１は、水滴が配線孔８を介してコンデンサボックス４の内部に入ることを防止するために、コンデンサボックス４の外部全体を覆う防水蓋５を設けるとともに、該防水蓋５をねじによって枠組み２の頂面６上に固定する必要がある。このような構成では、コストも組立工数も増加する。
【０００４】
また、アースねじはコンデンサボックス４内に取り付けられる。空間が限られるため、ユーザはアースとコンデンサボックス４との接続操作を行なうとき、アースねじを外してアースをアースねじに接続してから、アースねじをコンデンサボックス４の上方からアースねじの取付孔７に取り付ける必要がある。上方からアースねじを取り付ける場合、アースねじ又はアースねじ上のワッシャーは脱落しやすく、配線操作は非常に不便である。
【０００５】
上記課題を解決するために、本発明は、防水効果を確保できるとともに取り付けが容易である防水構造を有する換気扇を提供する。
【課題を解決するための手段】
【０００６】
上記目的を実現するために、本発明は、換気扇本体と、頂面上に設置されたモータおよびコンデンサボックスとを含み、前記モータには、モータリード線を延出させるための出線孔が設けられる換気扇であって、前記コンデンサボックスは台座とカバーとからなり、前記コンデンサボックスの前記カバーの前記モータに向う内側壁には、前記モータリード線を貫通させるための第１配線孔が設けられ、前記コンデンサボックスの前記台座の前記モータに向う内側壁には、前記モータリード線を貫通させるための第２配線孔が設けられ、前記第１配線孔の上方の前記カバーの頂面は、前記モータ方向へ遮水板を延設し、前記第１配線孔と前記第２配線孔はずらして設置され、前記第２配線孔と前記第１配線孔との間に、前記モータリード線を低く押える圧線リブを設け、前記圧線リブの最下端面の高さは第２配線孔より低い換気扇を提供する。
【発明の効果】
【０００７】
本発明の効果は、防水効果を確保するとともに、コストおよび組立工数を節約することにある。
【図面の簡単な説明】
【０００８】
【図１Ａ】従来の換気扇の模式図である。
【図１Ｂ】従来の換気扇の防水蓋の内部模式図である。
【図２Ａ】本発明の実施の形態１の模式図である。
【図２Ｂ】本発明の実施の形態１によるコンデンサボックスのカバーの模式図である。
【図２Ｃ】本発明の実施の形態１によるコンデンサボックスの台座の模式図である。
【図２Ｄ】本発明の実施の形態１によるコンデンサボックスが取り付けられた後の模式図である。
【図２Ｅ】実施の形態１による図２Ｄにおけるコンデンサボックスのカバーを外した場合の模式図である。
【図３Ａ】本発明の実施の形態２の模式図である。
【図３Ｂ】本発明の実施の形態２によるコンデンサボックスのカバーの模式図である。
【図３Ｃ】本発明の実施の形態２におけるモータリード線を外した場合のコンデンサボックスの台座の模式図である。
【図４】本発明の実施の形態３の模式図である。
【発明を実施するための形態】
【０００９】
本発明の一の態様にかかる換気扇は、換気扇本体と、頂面上に設置されたモータおよびコンデンサボックスとを含み、前記モータには、モータリード線を延出させるための出線孔が設けられる換気扇であって、前記コンデンサボックスは台座とカバーとからなり、前記コンデンサボックスの前記カバーの前記モータに向う内側壁には、前記モータリード線を貫通させるための第１配線孔が設けられ、前記コンデンサボックスの前記台座の前記モータに向う内側壁には、前記モータリード線を貫通させるための第２配線孔が設けられ、前記第１配線孔の上方の前記カバーの頂面は、前記モータ方向へ遮水板を延設し、前記第１配線孔と前記第２配線孔はずらして設置され、前記第２配線孔と前記第１配線孔との間に、前記モータリード線を低く押える圧線リブを設け、前記圧線リブの最下端面の高さは第２配線孔より低いことを特徴とする。
【００１０】
また、前記遮水板は、前記モータの前記出線孔を上方から遮蔽するように延設されるようにしてもよい。
【００１１】
また、前記第２配線孔と前記第１配線孔との間に、前記モータリード線を低く押える圧線リブが設けられ、前記圧線リブは前記第２配線孔を囲んで設置され、前記圧線リブと前記台座との間には、前記モータリード線を貫通させる孔以外の部分に、前記圧線リブと前記台座とを接続する防水底板が設置されるようにしてもよい。
【００１２】
また、前記コンデンサボックスの前記カバーの前記モータから離れた側の外側壁には、電源線を貫通させる第３配線孔が設けられ、前記コンデンサボックスの前記台座の台座内側壁と台座外側壁とを接続する接続壁には、前記電源線を貫通させる第４配線孔が設けられ、前記第４配線孔の位置が前記第３配線孔より高く、前記電源線は前記第３配線孔を貫通した後、曲がって前記第４配線孔に入り、前記コンデンサボックス内の配線端子に接続するようにしてもよい。
【００１３】
また、前記コンデンサボックスの前記カバーの頂面内側には、前記第４配線孔に対応した位置に、前記カバーに一体成形した圧線部が設けられ、前記圧線部には弧形の圧線溝が設けられるようにしてもよい。
【００１４】
また、前記コンデンサボックス内には、アースに接続されるアース接続部が設けられ、前記台座の外側壁には、前記アース接続部近傍の部分に切り欠き部が設けられるようにしてもよい。
【００１５】
また、前記カバーの上面は前記第１配線孔から前記第２配線孔の下方へ傾斜するようにしてもよい。
【００１６】
以下、本発明の実施の形態について、図面を参照しながら説明する。なお、この実施の形態によって本発明が限定されるものではない。
【００１７】
（実施の形態１）
図２Ａ〜図２Ｅは本発明の実施の形態１の模式図である。
【００１８】
図２Ａ〜図２Ｃに示すように、換気扇１００は、換気扇本体１１０と、頂面１１１上に設置されたモータ１２０およびコンデンサボックス２００とを含み、前記モータ１２０には、モータリード線１２１を延出させるための出線孔１２２（図２Ｅに示す）が設けられる。
【００１９】
前記コンデンサボックス２００は台座２１０とカバー２２０とからなる。コンデンサボックス２００のカバー２２０の前記モータ１２０に向う内側壁２２１には、前記モータリード線１２１を貫通させるための第１配線孔２２２が設けられている。コンデンサボックス２００の台座２１０の前記モータ１２０に向う内側壁２１１には、前記モータリード線１２１を貫通させるための第２配線孔２１２が設けられている。前記第１配線孔２２２上方の前記カバー２２０の頂面は、前記モータ１２０方向へ遮水板２２３を延設し、前記第１配線孔２２２と前記第２配線孔２１２はずらして設置される。本発明におけるずらして設置されることとは、第１配線孔２２２の中心と第２配線孔２１２の中心とが正対しない（それぞれの中心の位置が合わない）ことをいう。
【００２０】
本発明において、コンデンサボックス２００の台座２１０およびカバー２２０のモータ１２０に向う側壁は内側壁であり、モータ１２０から離れた側の側壁は外側壁である。
【００２１】
第１配線孔２２２の上方のカバー２２０の頂面が、モータ１２０方向へ遮水板２２３を延設するため、遮水板２２３は上方から第１配線孔２２２を遮蔽する。屋根に付着した湿気が凝縮してなる水滴が、コンデンサボックス２００のカバー２２０の頂面上に滴下しても、水滴は遮水板２２３の上面を経て換気扇本体１１０の頂面１１１に落下する。したがって、水滴は、第１配線孔２２２に落ちて第１配線孔２２２を介してコンデンサボックス２００内に入ることはない。
【００２２】
また、カバー２２０の上面は第１配線孔２２２から第２配線孔２１２の下方へ傾斜する。したがって、屋上に付着した湿気が凝縮してなる水滴が、コンデンサボックス２００のカバー２２０の頂面に滴下しても、水滴はカバー２２０の上面の第２配線孔２１２に流れてから換気扇本体１１０の頂面１１１に落下する。これにより、前記水滴が第１配線孔２２２および第２配線孔２１２を通ってからコンデンサボックス２００の台座２１０内に入り、電気部品に接触して故障を起こすことを防止することができる。
【００２３】
さらに、前記第１配線孔２２２と第２配線孔２１２がずらして設置されることにより、第１配線孔２２２はカバー２２０内側壁２２１の中央部からずらして一側に設置され、第２配線孔２１２は台座２１０内側壁２１１の中央部に近接して設置され、第１配線孔２２２と第２配線孔２１２との間には一定の空間が設けられる。このように、コンデンサボックス２００周囲の水滴は、第１配線孔２２２とモータリード線１２１との間の隙間を介してコンデンサボックス２００に入っても、第１配線孔２２２と第２配線孔２１２との間の空間に入った後、コンデンサボックス２００の台座２１０の内側壁２１１に衝突して受け止められるようになり、第２配線孔２１２を介してコンデンサボックス２００の台座２１０内に入って電気部品に接触することはない。さらに、第１配線孔２２２と第２配線孔２１２がずらしているため、モータリード線１２１は第１配線孔２２２および第２配線孔２１２という２つの孔に係止され、過度に引張られることはない。
【００２４】
したがって、上記構造により、従来技術のようにコンデンサボックス周囲を覆う防水蓋を取り付ける必要がなく、コストおよび組立工数を節約する。
【００２５】
更なる防水を実現するために、第２配線孔２１２と第１配線孔２２２との間に、前記モータリード線１２１を低く押える圧線リブ２１３を設けてもよく、該圧線リブ２１３の最下端面２１４の高さは第２配線孔２１２より低い。該圧線リブ２１３はコンデンサボックス２００の台座２１０に一体成形され、コンデンサボックス２００の台座２１０の内側壁２１１からモータ１２０方向へ延設される。上記構造により、モータリード線１２１はモータ１２０の出線孔１２２（図２Ｅに示す）から延出した後、コンデンサボックス２００のカバー２２０の第１配線孔２２２を貫通してから圧線リブ２１３の最下端面２１４下方を貫通し、圧線リブ２１３によって、換気扇本体１１０の頂面１１１に近い又は換気扇本体１１０の頂面１１１に密着する位置、即ち第１配線孔２２２および第２配線孔２１２より低い位置に押えられ、そして上方に向って台座２１０の第２配線孔２１２内に入り、略Ｖ字型を形成する。このように、水滴はモータリード線１２１の外部に付着しても、圧線リブ２１３によって下方へ押えられたモータリード線１２１に沿って、下方に向って換気扇本体１１０の頂面１１１へ流れるものであり、上方に向って第２配線孔２１２へ流れることはない。
【００２６】
図２Ｄ〜図２Ｅに示すように、前記コンデンサボックス２００のカバー２２０の前記モータ１２０から離れた側の外側壁２２４には、電源線を貫通させる第３配線孔２２５が設けられている。前記コンデンサボックス２００の前記台座２１０の台座内側壁２１１と台座外側壁２１６とを接続する接続壁２１７には、電源線を貫通させる第４配線孔２１５が設けられている。前記電源線は前記第３配線孔２２５を貫通した後、曲がって上方の第４配線孔２１５に入り、コンデンサボックス２００内の配線端子２５０に接続する。
【００２７】
上記構造により、電源線を貫通させる第３配線孔２２５と第４配線孔２１５はそれぞれ、カバー２２０の外側壁２２４と台座２１０の接続壁２１７に位置する。したがって、電源線は第３配線孔２２５を貫通した後、曲がって第４配線孔２１５に入る。このように、ユーザが電源線をコンデンサボックス２００外から引張っても、コンデンサボックス２００の台座２１０の接続壁２１７が電源線を係止し得るため、電源線は過度に引っ張られることはなく、断線したりすることはない。
【００２８】
また、コンデンサボックス２００の外部の水滴は、第３配線孔２２５を介してコンデンサボックス２００のカバー２２０内に入っても、第３配線孔２２５と第４配線孔２１５との間の接続壁２１７に衝突して受け止められる。さらに、前記第４配線孔２１５の位置が前記第３配線孔２２５より高いため、水滴は、コンデンサボックス２００のカバー２２０内に入ってからコンデンサボックス２００の台座２１０に入ることはない。
【００２９】
さらに、図２Ｅに示すように、前記コンデンサボックス２００内には、アースに接続されるアース接続部２３０が設けられる。前記台座外側壁２１６には、前記アース接続部２３０近傍の部分に切り欠き部２１８が設けられる。
【００３０】
本実施の形態１によると、アース端子を有しないアースを用いる場合、ユーザはコンデンサボックス２００のカバー２２０を上方へ開けてから、アースねじを緩め、前記外側壁の切り欠き部２１８からアースをワッシャーの下方へ挿入した後、ねじを締めてワッシャーをしっかり挟めば、アースの接続を完成することができる。ねじを完全に外してからアース接続の操作を行なう必要がないため、非常に便利である。
【００３１】
本実施の形態１によると、アース端子を有するアースを用いる場合、ユーザはコンデンサボックス２００のカバー２２０を上方へ開けてから、アースねじをはずし、アース端子およびワッシャーを切り欠き部からアースねじの取付孔に入らせた後、ねじを取り付けてワッシャーをしっかり挟めば、アースの接続を完成することができ、非常に便利である。
【００３２】
（実施の形態２）
図３Ａ〜図３Ｃは本発明の実施の形態２の模式図である。
【００３３】
図３Ａ〜図３Ｃに示すように、この実施の形態２において、第１配線孔２２２上方の前記カバー２２０の頂面が前記モータ１２０の方向へ延設した遮水板２２３’は、第１実施例における遮水板２２３よりも大きい。前記遮水板２２３’は、前記モータ１２０の出線孔１２２を上方から遮蔽するように延設される。このように、屋上に付着した水蒸気が凝縮して水滴となって滴下しても、水滴は遮水板２２３’の上面を経て換気扇本体１１０の頂面１１１に落下する。したがって、水滴は、モータリード線１２１に落ちて第１配線孔２２２を介してコンデンサボックス２００のカバー２２０内に入ることはない。
【００３４】
さらに、万一にモータ１２０が短絡する場合、コンデンサボックス２００のカバー２２０の遮水板２２３’はモータ１２０の出線孔から飛び散った火花を受け止め、火花が換気扇１００外へ飛び散ることを防止することができる。
【００３５】
したがって、防水効果を確保するとともに、安全性を向上させる。
【００３６】
また、この実施の形態２において、圧線リブ２１４’は前記第２配線孔２１２を囲んで設置される。前記圧線リブ２１４’と前記台座２１０との間には、モータリード線１２１を貫通させる孔２１９以外の部分に、前記圧線リブ２１４’と前記台座２１０とを接続する防水底板２２６が設置される。したがって、水滴はモータリード線１２１の外部に付着しても、圧線リブ２１４’によって下方へ押えられたモータリード線１２１に沿って下方へ流れるものであり、上方に向って第２配線孔２１２へ流れることはない。
【００３７】
さらに、換気扇本体１１０の頂面１１１の水滴がコンデンサボックス２００のカバー２２０と本体頂面１１１との間の隙間を経てコンデンサボックス２００のカバー２２０内へ飛び散っても、水滴は防水底板２２６に受け止められるものであり、第２配線孔２１２を介してコンデンサボックス２００の台座２１０内に入ることはない。これにより、防水効果を向上させることができる。
【００３８】
この実施の形態２における他の構造は実施の形態１と同じである。ここでは重複記載を省略する。
【００３９】
（実施の形態３）
図４は本発明の実施の形態３の模式図である。
【００４０】
図４に示すように、この実施の形態３において、前記コンデンサボックス２００の台座２１０’とカバー２２０’とは一体成形するように設置され、前記コンデンサボックス２００の台座２１０’とカバー２２０’との間には折り曲げ可能な辺２４０が設けられる。
【００４１】
前記コンデンサボックス２００のカバー２２０’の頂面内側には、前記第４配線孔２１５に対応した位置に、前記カバー２２０’に一体成形した圧線部２６０が設けられ、前記圧線部２６０には弧形の圧線溝２６１が設けられる。
【００４２】
カバー２２０’が辺２４０を介して閉まる場合、カバー２２０’の圧線部２６０と台座２１０’の第４配線孔２１５とは電源線を挟むとともに、弧形の圧線溝２６１によって電源線を押えて電源線の緩みを防止する。このように、従来技術のようにねじを介して圧線片を取り付けることをしなくても、圧線操作を完成することができる。これにより、コストおよび組立工数を節約することができる。
【００４３】
この実施の形態３における他の構造は実施の形態１または実施の形態２と同じである。ここでは重複記載を省略する。
【００４４】
なお、この実施の形態３における圧線部２６０に設けられた弧形の圧線溝２６１は、実施の形態１または実施の形態２に設置されてもよい。
【００４５】
なお、上記様々な実施の形態のうちの任意の実施の形態を適宜組み合わせることにより、それぞれの有する効果を奏するようにすることができる。
【符号の説明】
【００４６】
１００    換気扇
１１０    換気扇本体
１１１    頂面
１２０    モータ
１２１    モータリード線
１２２    出線孔
２００    コンデンサボックス
２１０    台座
２１０’  台座
２１１    内側壁
２１２    第２配線孔
２１３    圧線リブ
２１４    最下端面
２１４’  圧線リブ
２１５    第４配線孔
２１６    台座外側壁
２１７    接続壁
２１８    切り欠き部
２１９    孔
２２０    カバー
２２０’  カバー
２２１    内側壁
２２２    第１配線孔
２２３    遮水板
２２３’  遮水板
２２４    外側壁
２２５    第３配線孔
２２６    防水底板
２３０    アース接続部
２４０    辺
２５０    配線端子
２６０    圧線部
２６１    弧形の圧線溝
【図１Ａ】
2014181895.tif 000003
【図１Ｂ】
2014181895.tif 000004
【図２Ａ】
2014181895.tif 000005
【図２Ｂ】
2014181895.tif 000006
【図２Ｃ】
2014181895.tif 000007
【図２Ｄ】
2014181895.tif 000008
【図２Ｅ】
2014181895.tif 000009
【図３Ａ】
2014181895.tif 000010
【図３Ｂ】
2014181895.tif 000011
【図３Ｃ】
2014181895.tif 000012
【図４】
2014181895.tif 000013